(57)【特許請求の範囲】
【請求項１】
物体側から順に、負の屈折力を有する第１群，正の屈折力を有する第２群，正の屈折力を有する第３群，及び負の屈折力を有する第４群からなる正の屈折力を有する対物光学系と、プリズム，及び接眼レンズからなる正の屈折力を有する接眼光学系とを構成し、且つ、
前記第４群と前記プリズムとは夫々２つの反射面を有しており、該第４群と該プリズムとが正立正像系を構成し、
前記第１群及び前記第４群を固定し、前記第２群及び前記第３群を移動させる、又は、前記第４群を固定し、前記第１群，前記第２群，及び前記第３群を移動させることにより変倍が行われ、
前記対物光学系を構成する各群は夫々単レンズからなり、前記第１群の物体側の面を凹面とし、前記第３群の像側の面を非球面とし、且つ以下に示す条件式を満足するようにしたことを特徴とする実像式ズームファインダー。
２．５＜αT(R2)＜５．７
４．７＜Ｄ13W／γ＜６．２
但し、αT(R2)は前記対物光学系の望遠端における第２群から中間像までの合成縦倍率、Ｄ13Wは前記第１群から前記第３群までの広角端での軸上芯厚、γは前記実像式ズームファインダーの変倍比を示す。
【請求項２】
前記第１群の像側の面，前記第２群の物体側の面，及び前記第４群の物体側の面を非球面としたことを特徴とする請求項１に記載の実像式ズームファインダー。
【請求項３】
前記第３群の物体側の面を非球面としたことを特徴とする請求項２に記載の実像式ズームファインダー。
【請求項４】
変倍の際、前記第１群は固定されることを特徴とする請求項１乃至３の何れか１項に記載の実像式ズームファインダー。
【発明の詳細な説明】
【０００１】
【発明の属する技術分野】
本発明は、撮影レンズとファインダーレンズとが別体に構成されたレンズシャッターカメラやスチルカメラ等に好適な実像式ズームファインダーに関する。
【０００２】
【従来の技術】
一般に、レンズシャッターカメラ等に用いられている撮影光学系とは別に構成されたファインダー光学系は、虚像式ファインダーと実像式ファインダーとに大別される。
【０００３】
虚像式ファインダーの場合、変倍比が大きくなると前玉径が大きくなり、小型化が阻まれるという欠点がある。そのうえ、このタイプのファインダー光学系では視野枠の見えが不明瞭であるという問題もある。
これに対して、実像式ファインダーは、入射瞳位置をファインダーの前方に配置することができるため、前玉径を小さくすることができる。又、対物レンズ系で結像された像を接眼レンズ系を介して観察することができるため、前述のような虚像式ファインダーが有する欠点は概ね解消され、視野枠の見えがよいファインダーを実現できる。
更に、実像式ファインダーでは、正立正像系を構成するプリズム等の構成を工夫することによって、より小型のファインダーを実現することが可能になる。  現在、変倍機能が備えられたレンズシャッターカメラの多くに実像式ファインダーが採用されているのは、以上のような理由による。
【０００４】
又、近年、更なるカメラの小型化，高変倍化が要求されている。
実像式ファインダーにおいて、２倍程度の変倍比を備えたファインダーとしては、従来より２群ズームタイプ，３群ズームタイプのものが提案されている。しかし、変倍比を更に大きくするためには、ファインダーを構成する各レンズの変倍作用を大きくする必要がある。従って、ファインダーの各レンズ群の屈折力も強くなり、変倍による収差変動が大きくなる。又、変倍するために、各レンズ群の可動スペースの確保も必要となるため、ファインダーの全長が伸び、カメラの厚みが増す原因となる。
尚、同程度の変倍比を維持したままファインダーの全長を短縮した場合、変倍に要する可動スペースが縮小されるために、各レンズ群の屈折力を更に強くする必要が生じ、変倍を行うレンズ群で発生する収差が増加することになる。
【０００５】
このように、２群又は３群構成の実像式ファインダーの変倍比を大きくした場合、特に変倍を行うレンズ群で発生する収差が増加するため、変倍による収差変動が顕著になる。２群又は３群ズームタイプのものではレンズ群の数が少ないため、収差の発生量が著しいレンズ群が１つでもあると、収差の補正は困難である。
しかしながら、これらの問題は、ファインダーのズーム群を４群とすることで解消される。この４群タイプのものによれば、変倍作用と収差補正作用とをうまく各群に振り分けることができる。又、４群のうち最も物体側にある第１群に負の屈折力を備えた場合には、対物レンズ系のバックフォーカスが長くとれるため、特に対物レンズ系内に像反転部材の一部が備えられているような場合に、小型化に極めて有利となる。又、第４群に負の屈折力を備えた場合、特に長焦点側での対物レンズ系の全長を短縮するのに有利となる。
【０００６】
このような４群に構成された実像式ファインダーのうち、特に変倍比が２倍以上であって、対物レンズ系が物体側から順に、夫々、負，正，正，負の屈折力を備えた構成となっているものとしては、例えば、特開平５−１６４９６４号，特開平７−１２８７０７号，及び特開平８−２４０７６９号の各公報等に開示されたものがある。
【０００７】
【発明が解決しようとする課題】
これらのうち、特開平５−１６４９６４号公報において、実施例１として示されているファインダーは、変倍作用の大きい第２群を複数のレンズで構成することにより、良好な収差補正がなされる。しかし、ファインダーを構成するレンズ枚数が多く、ファインダーの大型化を招いている。又、同公報に実施例２として示されたファインダーは、各群を単レンズにより構成することにより小型なファインダーを実現しているが、第３群において屈折力の強い像側ではなく物体側に非球面を配置しているため、収差補正に改善の余地を残している。又、このファインダーでは、望遠端において対物レンズ系の第２群以降の合成縦倍率が大きくなる。よって、組立誤差による視度への影響が大きくなるため、精度よく組み立てる必要があり、結果として生産コストの上昇を招く。
【０００８】
又、特開平７−１２８７０７号公報には、各群が単レンズで構成された広画角で小型の実像式ファインダーが開示されている。しかし、このファインダーは、第１群の入射面が凸面に形成されているため、入射瞳位置がファインダー内に入ってしまい、第１群のレンズ口径が大きくなってしまっている。
【０００９】
特開平８−２４０７６９号公報に開示されているファインダーは、３倍以上の変倍比を有する、小型で高変倍のファインダーを実現している。しかし、望遠端において対物レンズ系の第２群以降の合成縦倍率が大きいため、組立誤差による視度への影響が顕著に現れる。従って、ファインダーを精度よく組み立てる必要が生じ、結果として生産コストの上昇を招く。
【００１０】
そこで、本発明は、上記のような従来技術の有する問題点に鑑み、２倍を越える高変倍比を有しながらも、簡易な構成で且つ良好な収差補正機能を備えた、安価な小型の実像式ズームファインダーを提供することを目的とする。
【００１１】
【課題を解決するための手段】
上記目的を達成するために、本発明による小型の実像式ズームファインダーは、物体側から順に、負の屈折力を有する第１群，正の屈折力を有する第２群，正の屈折力を有する第３群，及び負の屈折力を有する第４群からなる正の屈折力を有する対物光学系と、プリズム，及び接眼レンズからなる正の屈折力を有する接眼光学系とを構成し、且つ、前記第４群と前記プリズムとは夫々２つの反射面を有しており、該第４群と該プリズムとが正立正像系を構成し、前記第１群及び前記第４群を固定し、前記第２群及び前記第３群を移動させる、又は、前記第４群を固定し、前記第１群，前記第２群，及び前記第３群を移動させることにより変倍が行われ、前記対物光学系を構成する各群は夫々単レンズからなり、前記第１群の物体側の面を凹面とし、前記第３群の像側の面を非球面とし、且つ以下に示す条件式を満足するようにしたことを特徴とする。
２．５＜αT(R2)＜５．７
４．７＜Ｄ13W／γ＜６．２
但し、αT(R2)は前記対物光学系の望遠端における第２群から中間像までの合成縦倍率、Ｄ13Wは前記第１群から前記第３群までの広角端での軸上芯厚、γは前記実像式ズームファインダーの変倍比を示す。
【００１２】
又、本発明の実像式ズームファインダーは、前記第１群の像側の面，前記第２群の物体側の面，及び前記第４群の物体側の面を非球面としたことを特徴とする。
更に、本発明の実像式ズームファインダーは、前記第３群の物体側の面を非球面としたことを特徴とする。
【００１３】
更に、本発明の実像式ズームファインダーは、変倍の際、前記第１群は固定されることを特徴とする。
【００１４】
【発明の実施の形態】
高変倍比を維持しつつ実像式ファインダーの小型化を達成するためには、変倍作用を司る対物光学系を４群のズーム構成とすることが好ましい。そのうえ、最も物体に近い第１群に負の屈折力を備えることで、対物光学系のバックフォーカスを長く形成できるため、対物光学系内に像反転部材の一部を備えている場合には、極めて小型化に有利となる。又、これは入射瞳をファインダーの前側に配置する効果もあるため、ファインダーを構成するレンズの口径、特に前玉径を小さくすることができる。
そこで、本発明の実像式ズームファインダーは、物体側から順に、正の屈折力を備え４群に構成された対物光学系と、この対物光学系による中間像を正立正像にするための正立正像系と、正の屈折力を備えた接眼光学系とを配置して構成しし、特に、対物光学系の第１群に負の屈折力を備えた。
【００１５】
更に、実像式ズームファインダーにおいて、高変倍化と小型化とを両立させるためには、変倍作用を備えたレンズ群に強い屈折力をもたせなければならないため、かかるレンズ群で発生する収差が顕著になる。このため、本発明の実像式ズームファインダーでは、主に変倍作用を司る対物光学系の第２群，第３群を夫々正の屈折力を備えた構成とし、変倍作用の分担を行うことで屈折力の強大化を押さえ、収差発生量を抑制している。
しかし、このように構成すると、望遠端において、負の屈折力を有する第１群、正の屈折力を有する第２群、正の屈折力を有する第３群が１つのブロックとして構成されてしまう。この結果、望遠端における対物光学系の全長が望遠端での焦点距離と同等になってしまう。そこで、本発明の実像式ズームファインダーでは、第４群に負の屈折力を備えることにより、対物光学系の全長の短縮を図っている。
【００１６】
更に、本発明の実像式ズームファインダーにおいて、対物光学系の第１〜第４群を夫々単レンズにより構成することで、各群を薄型化し対物光学系の全長の短縮を図っている。又、対物光学系の各群を単レンズで構成することにより、対物光学系の構成は簡易となり、組み立て易く生産コストを低減させることができる。更に、対物光学系の第１群の物体側の面を凹面とすることにより、入射瞳位置をファインダーの前側に移動させることができる。これにより、対物光学系を構成する各群のレンズ口径を小さくすることができる。又、カメラのレイアウト上、ファインダーの入射窓より撮影光学系の鏡枠が物体側に突出しているような場合においても、ファインダーの視野枠内に撮影光学系の鏡枠が見えてしまうといった不具合を軽減することができる。
【００１７】
以上を考慮して、本発明の実像式ズームファインダーは、対物光学系の望遠端における第２群から中間像までの合成縦倍率をαT(R2) とするとき、以下の条件式を満足することが好ましい。
２．５＜αT(R2) ＜５．７                          ・・・・（１）
【００１８】
この条件式（１）は、前記対物光学系の望遠端における第１群と第２群との群間隔の誤差による視度への影響に関するものである。本発明の実像式ズームファインダーにおいて、高変倍化に際し、特に望遠端での組立誤差による視度のズレが大きくなり、良好な組立精度の維持の困難さからその変倍比を制約しなければならないことが起こり得る。このような不具合を回避するためにも、前記条件式（１）を満足する必要がある。
尚、αT(R2) の値が条件式（１）の取り得る値の範囲の上限を越えると、視度への影響が大きくなってファインダーの組み立てが困難となり、生産コストも上昇する。一方、αT(R2) の値が条件式（１）の取り得る値の範囲の下限を下回ると、ファインダーの変倍比が維持できなくなる。
【００１９】
又、本発明において、ファインダーの部品点数を減らしコストダウンを図るためには、対物光学系の第４群を正立正像系の一部と一体化することが好ましい。又、対物光学系の主に変倍作用を司る群中でも、特に第３群の最像側では、最も入射瞳から離れ中心光束と周辺光束とが大きく分かれるので、第３群の最像側の面に非球面を配置することにより、収差補正、特にアスの補正に効果がある。
【００２０】
更に、本発明の実像式ズームファインダーは、以下の条件式を満足することが好ましい。
４．７＜Ｄ13W ／γ＜６．２                        ・・・・（２）
ここで、Ｄ13W は本発明の実像式ズームファインダーの対物光学系の第１群から第３群までの広角端での軸上芯厚、γは本発明の実像式ズームファインダーの変倍比を示している。
【００２１】
本発明の実像式ズームファインダーにおいて、対物光学系の第４群が正立正像系の一部と一体化されている場合、正立正像系は光路を折りたたむことにより小型化が図れるのに対し、対物光学系の変倍部はレンズ群の移動スペースを確保する必要があるため、小型化は困難である。このため、前記Ｄ13W の値がファインダーの全長を決定するのに大きく影響する。又、限られたスペースでファインダーの変倍比を大きくしようとすると、前述のように変倍を行うレンズ群の屈折力を大きくする必要が生じ、収差の発生量も増加する。即ち、条件式（２）はファインダーの小型化と高変倍比とを両立させるための条件を示すものである。
【００２２】
前記Ｄ13W ／γの値が条件式（２）の取り得る値の範囲の上限を越えると、収差補正は容易となるが、対物光学系の全長の短縮或いは変倍比を大きくすることが困難となる。一方、Ｄ13W ／γの値が条件式（２）の取り得る値の範囲の下限を下回ると、変倍を行うためのレンズ群の移動スペースが縮小するため、各群の屈折力を強化しなくてはならない。更に、縮小されたスペースでの変倍を行うことに合わせて、ファインダーを構成するレンズ枚数を減らさねばならず、対物光学系の各群における収差の発生量が増加する。又、第３群の最像側の面に配置された非球面と入射瞳位置との距離が短縮されることで、中心光束と周辺光束とが大きく分離しなくなり、前記非球面による収差補正、特に広角端におけるアスの補正が困難となる。
【００２３】
加えて、本発明の実像式ズームファインダーにおいて、変倍の際に、対物光学系の第１群を固定することで、更なる構成の簡略化を図ることができ、より生産コストを低減させることができる。
【００２４】
以下、図示した実施例に基づき本発明を詳細に説明する。
【００２５】
第１実施例
図１は、本実施例にかかる実像式ズームファインダーの構成を示す光軸に沿う断面図である。同図中、（ａ）は広角端、（ｂ）は中間倍率、（ｃ）は望遠端での状態を示している。本実施例の実像式ズームファインダーは、図示しない物体側から順に、対物光学系１と、接眼光学系２とを配置して構成している。対物光学系１は、前記物体側から順に、負の屈折力を有する第１群Ｌ1 ，正の屈折力を有する第２群Ｌ2 ，正の屈折力を有する第３群Ｌ3 ，及び負の屈折力を有し反射部材としての機能も備えた第４群Ｌ4 を配置して構成している。又、接眼光学系２は、前記物体側から順に、反射部材であるプリズムＬ5 ，接眼レンズＬ6 を配置して構成している。更に、第４群Ｌ4 とプリズムＬ5 とにより正立正像系が構成されている。
【００２６】
本実施例の実像式ズームファインダーでは、対物光学系１を構成する各群のうち、第１群Ｌ1 及び第４群Ｌ4 を固定し、第２群Ｌ2 及び第３群Ｌ3 を夫々光軸ＬC 上を移動させることにより変倍が行われる。又、第１群Ｌ1 の物体側の面は凹面になっている。第４群Ｌ4 及びプリズムＬ5 は、夫々２つの反射面を備えている（図示せず）。尚、第１群Ｌ1 ，第２群Ｌ2 ，第３群Ｌ3 ，及び第４群Ｌ4 は、夫々１枚のレンズにより構成されている。又、第１群Ｌ1 ，第３群Ｌ3 の光の射出面、及び第２群Ｌ2 ，第４群Ｌ4 の光の入射面に夫々非球面を配置している。
【００２７】
以下、本実施例の実像式ズームファインダーに関する各種数値データを示す。
【００２８】
ファインダー倍率：０．４３２〜１．０１４倍
視野角（２ω）：５１．９〜２０．８°
瞳径：４ｍｍφ
αT(R2) ＝４．６０
Ｄ13W ／γ＝５．５２
【００２９】
ｒ1 ＝-13.958
ｄ1 ＝0.70      ｎｄ1 ＝1.58423   ν1 ＝30.49
ｒ2 ＝9.072(非球面)
ｄ2 ＝6.80 (広角端), 3.59(中間倍率), 0.85(望遠端)
ｒ3 ＝6.291(非球面)
ｄ3 ＝1.53      ｎｄ3 ＝1.49241   ν3 ＝57.66
ｒ4 ＝-61.633
ｄ4 ＝2.59 (広角端), 3.25(中間倍率), 0.73(望遠端)
ｒ5 ＝16.055
ｄ5 ＝1.33      ｎｄ5 ＝1.49241   ν5 ＝57.66
【００３０】
ｒ6 ＝-14.618(非球面)
ｄ6 ＝2.46 (広角端), 5.00(中間倍率), 10.25 (望遠端)
ｒ7 ＝-24.541(非球面)
ｄ7 ＝13.00     ｎｄ7 ＝1.52542   ν7 ＝55.78
ｒ8 ＝∞
ｄ8 ＝1.50
ｒ9 ＝12.504
ｄ9 ＝26.50     ｎｄ9 ＝1.52542   ν9 ＝55.78
ｒ10＝-124.987
ｄ10＝1.50
【００３１】
ｒ11＝14.176
ｄ11＝4.75      ｎｄ11＝1.52542   ν11＝55.78
ｒ12＝-47.882
ｄ12＝18.50
ｒ13＝∞ (アイポイント)
【００３２】
円錐係数及び非球面係数
第２面
Ｋ＝-17.4679
Ａ4 ＝2.3937×10-3，            Ａ6 ＝-2.4953 ×10-4
Ａ8 ＝3.4063×10-5，            Ａ10＝-3.1907 ×10-6
【００３３】
第３面
Ｋ＝1.3715
Ａ4 ＝-1.3301 ×10-3，          Ａ6 ＝-2.2595 ×10-5
Ａ8 ＝-1.4247 ×10-6，          Ａ10＝-2.2948 ×10-7
【００３４】
第６面
Ｋ＝-5.9176
Ａ4 ＝3.8448×10-4，            Ａ6 ＝6.2037×10-6
Ａ8 ＝1.3894×10-6，            Ａ10＝-1.6737 ×10-7
【００３５】
第７面
Ｋ＝21.8505
Ａ4 ＝-6.9410 ×10-4，          Ａ6 ＝1.1885×10-4
Ａ8 ＝-8.0697 ×10-6
【００３６】
第１１面
Ｋ＝1.0224
Ａ4 ＝-9.1751 ×10-5，          Ａ6 ＝-3.0775 ×10-6
Ａ8 ＝8.4886×10-8，            Ａ10＝-1.1576 ×10-9
【００３７】
又、図２は、本施例の実像式ズームファインダーにかかる収差曲線図であり、夫々（ａ）は広角端、（ｂ）は中間倍率、（ｃ）は望遠端での状態を示す図である。
【００３８】
第２実施例
図３は、本実施例にかかる実像式ズームファインダーの構成を示す光軸に沿う断面図である。同図中、（ａ）は広角端、（ｂ）は中間倍率、（ｃ）は望遠端での状態を示している。本実施例の実像式ズームファインダーにおいて、対物光学系１の第３群Ｌ3 の光の入射面にも非球面を配置している点以外の構成は第１実施例に示したものと同様のため、詳細な説明は省略する。
【００３９】
以下、本実施例の実像式ズームファインダーに関する各種数値データを示す。
ファインダー倍率：０．４３１〜１．１４５倍
視野角（２ω）：５２．０〜１８．５°
瞳径：４ｍｍφ
αT(R2) ＝５．１４
Ｄ13W ／γ＝５．１４
【００４０】
ｒ1 ＝-21.349
ｄ1 ＝0.70      ｎｄ1 ＝1.58423   ν1 ＝30.49
ｒ2 ＝8.095(非球面)
ｄ2 ＝7.47 (広角端), 4.07(中間倍率), 0.45(望遠端)
ｒ3 ＝6.906(非球面)
ｄ3 ＝1.53      ｎｄ3 ＝1.49241   ν3 ＝57.66
ｒ4 ＝-26.237
ｄ4 ＝2.60 (広角端), 3.73(中間倍率), 0.45(望遠端)
ｒ5 ＝8.858(非球面)
ｄ5 ＝1.33      ｎｄ5 ＝1.49241   ν5 ＝57.66
【００４１】
ｒ6 ＝310.759(非球面)
ｄ6 ＝1.97 (広角端), 4.24(中間倍率), 11.14 (望遠端)
ｒ7 ＝-24.869(非球面)
ｄ7 ＝13.00     ｎｄ7 ＝1.52542   ν7 ＝55.78
ｒ8 ＝∞
ｄ8 ＝1.50
ｒ9 ＝11.539
ｄ9 ＝26.90     ｎｄ9 ＝1.52542   ν9 ＝55.78
ｒ10＝∞
ｄ10＝1.50
【００４２】
ｒ11＝12.836
ｄ11＝2.45      ｎｄ11＝1.52542   ν11＝55.78
ｒ12＝-51.611
ｄ12＝18.50
ｒ13＝∞ (アイポイント)
【００４３】
円錐係数及び非球面係数
第２面
Ｋ＝-12.9994
Ａ4 ＝2.5881×10-3，            Ａ6 ＝-2.9222 ×10-4
Ａ8 ＝3.1774×10-5，            Ａ10＝-2.0197 ×10-6
【００４４】
第３面
Ｋ＝-1.7007
Ａ4 ＝4.0044×10-4，            Ａ6 ＝3.4302×10-6
Ａ8 ＝-1.7264 ×10-7，          Ａ10＝-7.2403 ×10-7
【００４５】
第５面
Ｋ＝-5.6505
Ａ4 ＝6.4996×10-4，            Ａ6 ＝-2.4386 ×10-6
Ａ8 ＝1.6154×10-6，            Ａ10＝1.8594×10-6
【００４６】
第６面
Ｋ＝-8.6130
Ａ4 ＝4.7895×10-4，            Ａ6 ＝5.9261×10-6
Ａ8 ＝7.8671×10-7，            Ａ10＝2.3078×10-6
【００４７】
第７面
Ｋ＝21.4820
Ａ4 ＝-1.3453 ×10-4，          Ａ6 ＝-4.3803 ×10-5
Ａ8 ＝4.8903×10-6
【００４８】
第１１面
Ｋ＝1.1927
Ａ4 ＝-1.8483 ×10-4，          Ａ6 ＝5.8107×10-8
Ａ8 ＝-4.6551 ×10-8，          Ａ10＝2.8071×10-11 
【００４９】
第３実施例
図４は、本実施例にかかる実像式ズームファインダーの構成を示す光軸に沿う断面図である。同図中、（ａ）は広角端、（ｂ）は中間倍率、（ｃ）は望遠端での状態を示している。本実施例の実像式ズームファインダーでは、対物光学系１を構成する各群のうち、第４群Ｌ4 を固定し、第１群Ｌ1 ，第２群Ｌ2 ，第３群Ｌ3 を夫々光軸ＬC 上を移動させることにより変倍が行われる。他の構成は、第１実施例に示したものと同様であるため、詳細な説明は省略する。
【００５０】
以下、本実施例の実像式ズームファインダーに関する各種数値データを示す。
ファインダー倍率：０．４３３〜１．２２５倍
視野角（２ω）：５１．９〜１７．２°
瞳径：４ｍｍφ
αT(R2) ＝５．５２
Ｄ13W ／γ＝４．８６
【００５１】
ｒ1 ＝-35.626
ｄ1 ＝0.70      ｎｄ1 ＝1.58423   ν1 ＝30.49
ｒ2 ＝7.291(非球面)
ｄ2 ＝8.19 (広角端), 4.45(中間倍率), 0.45(望遠端)
ｒ3 ＝7.667(非球面)
ｄ3 ＝1.53      ｎｄ3 ＝1.49241   ν3 ＝57.66
ｒ4 ＝-19.589
ｄ4 ＝2.00 (広角端), 3.23(中間倍率), 0.45(望遠端)
ｒ5 ＝6.529(非球面)
ｄ5 ＝1.33      ｎｄ5 ＝1.49241   ν5 ＝57.66
【００５２】
ｒ6 ＝18.700 (非球面)
ｄ6 ＝2.15 (広角端), 4.32(中間倍率), 11.54 (望遠端)
ｒ7 ＝-19.864(非球面)
ｄ7 ＝13.00     ｎｄ7 ＝1.52542   ν7 ＝55.78
ｒ8 ＝∞
ｄ8 ＝1.50
ｒ9 ＝11.539
ｄ9 ＝26.90     ｎｄ9 ＝1.52542   ν9 ＝55.78
ｒ10＝∞
ｄ10＝1.50
【００５３】
ｒ11＝12.836 (非球面)
ｄ11＝2.45      ｎｄ11＝1.52542   ν11＝55.78
ｒ12＝-51.611
ｄ12＝18.50
ｒ13＝∞ (アイポイント)
【００５４】
円錐係数及び非球面係数
第２面
Ｋ＝-9.9740
Ａ4 ＝2.6068×10-3，            Ａ6 ＝-2.3924 ×10-4
Ａ8 ＝2.6501×10-5，            Ａ10＝-2.0853 ×10-6
【００５５】
第３面
Ｋ＝-1.7356
Ａ4 ＝3.2639×10-4，            Ａ6 ＝2.2984×10-5
Ａ8 ＝6.8580×10-7，            Ａ10＝-1.3606 ×10-6
【００５６】
第５面
Ｋ＝-6.9045
Ａ4 ＝2.7640×10-3，            Ａ6 ＝-1.7735 ×10-4
Ａ8 ＝1.6551×10-5，            Ａ10＝1.9078×10-6
【００５７】
第６面
Ｋ＝-2.9646
Ａ4 ＝5.1040×10-4，            Ａ6 ＝7.2434×10-6
Ａ8 ＝-7.5901 ×10-7，          Ａ10＝3.8889×10-6
【００５８】
第７面
Ｋ＝18.7601
Ａ4 ＝3.6273×10-4，            Ａ6 ＝-1.7302 ×10-4
Ａ8 ＝1.2017×10-5
【００５９】
第１１面
Ｋ＝1.1927
Ａ4 ＝-1.8483 ×10-4，          Ａ6 ＝5.8107×10-8
Ａ8 ＝-4.6551 ×10-8，          Ａ10＝2.8071×10-11 
【００６０】
第４実施例
図５は、本実施例にかかる実像式ズームファインダーの構成を示す光軸に沿う断面図である。同図中、（ａ）は広角端、（ｂ）は中間倍率、（ｃ）は望遠端での状態を示している。本実施例の実像式ズームファインダーの構成は、第１実施例のものと同様なため、詳細な説明は省略する。
【００６１】
以下、本実施例の実像式ズームファインダーに関する各種数値データを示す。ファインダー倍率：０．４３２〜１．００９倍
視野角（２ω）：５１．１〜２０．６°
瞳径：４ｍｍφ
αT(R2) ＝２．６９
Ｄ13W ／γ＝６．０７
【００６２】
ｒ1 ＝-19.916
ｄ1 ＝0.80      ｎｄ1 ＝1.58423   ν1 ＝30.49
ｒ2 ＝11.127 (非球面)
ｄ2 ＝8.54 (広角端), 4.63(中間倍率), 0.80(望遠端)
ｒ3 ＝7.395(非球面)
ｄ3 ＝1.70      ｎｄ3 ＝1.52542   ν3 ＝55.78
ｒ4 ＝-30.988
ｄ4 ＝1.82 (広角端), 3.97(中間倍率), 2.27(望遠端)
ｒ5 ＝21.281
ｄ5 ＝1.30      ｎｄ5 ＝1.49241   ν5 ＝57.66
【００６３】
ｒ6 ＝-26.915(非球面)
ｄ6 ＝2.04 (広角端), 3.80(中間倍率), 9.33(望遠端)
ｒ7 ＝-52.368(非球面)
ｄ7 ＝13.00     ｎｄ7 ＝1.52542   ν7 ＝55.78
ｒ8 ＝∞
ｄ8 ＝1.50
ｒ9 ＝12.504
ｄ9 ＝26.69     ｎｄ9 ＝1.52542   ν9 ＝55.78
ｒ10＝∞
ｄ10＝1.50
【００６４】
ｒ11＝14.795 (非球面)
ｄ11＝2.45      ｎｄ11＝1.52542   ν11＝55.78
ｒ12＝-32.070
ｄ12＝18.50
ｒ13＝∞ (アイポイント)
【００６５】
円錐係数及び非球面係数
第２面
Ｋ＝-10.0850
Ａ4 ＝3.3985×10-4，            Ａ6 ＝1.0964×10-5
Ａ8 ＝2.9651×10-6，            Ａ10＝-4.0317 ×10-7
【００６６】
第３面
Ｋ＝2.0347
Ａ4 ＝-1.2911 ×10-3，          Ａ6 ＝7.1069×10-6
Ａ8 ＝4.9448×10-7，            Ａ10＝-3.7711 ×10-7
【００６７】
第６面
Ｋ＝-5.0721
Ａ4 ＝3.0467×10-4，            Ａ6 ＝1.0782×10-5
Ａ8 ＝8.2483×10-7，            Ａ10＝-2.1377 ×10-7
【００６８】
第７面
Ｋ＝-43.9144
Ａ4 ＝-5.8891 ×10-4，          Ａ6 ＝3.9137×10-5
Ａ8 ＝-1.6541 ×10-6
【００６９】
第１１面
Ｋ＝0.7176
Ａ4 ＝-9.4274 ×10-5，          Ａ6 ＝-2.1222 ×10-6
Ａ8 ＝6.1948×10-8，            Ａ10＝-8.5431 ×10-10 
【００７０】
但し、前述した各実施例中の各種数値データにおいて、ｒ1 ，ｒ2 ，・・・・は各レンズ面等の曲率半径、ｄ1 ，ｄ2 ，・・・・は各レンズ等の肉厚又はそれらの間隔、ｎｄ1 ，ｎｄ2 ，・・・・は各レンズ等のｄ−ｌｉｎｅ上の屈折率、ν1 ，ν2 ，・・・・は各レンズ等のアッベ数を示している。又、前記各非球面形状は、光軸上の光の進行方向をＺ軸、光軸と直交する方向をＹ軸にとり、円錐係数をＫ、非球面係数をＡ4 ，Ａ6 ，Ａ8 ，Ａ10とするとき、以下に示す式により与えられる。
0003708340.tif 000002
【００７１】
以上説明したように、本発明による小型の実像式ズームファインダーは、特許請求の範囲に記載の特徴と併せ、以下（１），（２）に示す特徴も備えていることが好ましい。
【００７２】
（１）上記対物光学系の第４群は上記正立正像系の一部と一体化されていることを特徴とする請求項１に記載の実像式ズームファインダー。
【００７３】
（２）変倍の際、上記対物光学系の第１群は固定されることを特徴とする請求項１乃至３又は上記（１）の何れかに記載の実像式ズームファインダー。
【００７４】
【発明の効果】
上述のように、本発明によれば、２倍を越える変倍比を有しながらも、簡易な構成で且つ良好な収差補正機能を備えた、安価な小型の実像式ズームファインダーを提供することができる。
【図面の簡単な説明】
【図１】第１実施例にかかる実像式ズームファインダーの構成を示す光軸に沿う断面図であり、夫々（ａ）は広角端、（ｂ）は中間倍率、（ｃ）は望遠端での状態を示す図である。
【図２】第１実施例にかかる実像式ズームファインダーの収差曲線図であり、夫々（ａ）は広角端、（ｂ）は中間倍率、（ｃ）は望遠端での状態を示す図である。
【図３】第２実施例にかかる実像式ズームファインダーの構成を示す光軸に沿う断面図であり、夫々（ａ）は広角端、（ｂ）は中間倍率、（ｃ）は望遠端での状態を示す図である。
【図４】第３実施例にかかる実像式ズームファインダーの構成を示す光軸に沿う断面図であり、夫々（ａ）は広角端、（ｂ）は中間倍率、（ｃ）は望遠端での状態を示す図である。
【図５】第４実施例にかかる実像式ズームファインダーの構成を示す光軸に沿う断面図であり、夫々（ａ）は広角端、（ｂ）は中間倍率、（ｃ）は望遠端での状態を示す図である。
【符号の説明】
１    対物光学系
２    接眼光学系
Ｌ1   第１群
Ｌ2   第２群
Ｌ3   第３群
Ｌ4   第４群
Ｌ5   プリズム
Ｌ6   接眼レンズ
ＬC   光軸
【図１】
0003708340.tif 000003
【図２】
0003708340.tif 000004
【図３】
0003708340.tif 000005
【図４】
0003708340.tif 000006
【図５】
0003708340.tif 000007